(57)【要約】  【課題】  スキャンボックスの指定と同時的にスキャンパラメータも指定することができる画像読取装置を提供する。  【解決手段】  スキャンボックス２２１，２２１，…の何れか一つが操作部１５を介して指定された場合、指定されたスキャンボックス２２１に関連付けてパラメータ記憶部１３１に記憶されているスキャンパラメータをＣＰＵ１０が読み出し、読み出したスキャンパラメータに応じて、読取部１９が原稿の画像を読み取って画像データを生成し、生成した画像データを、指定されたスキャンボックス２２１が記憶する。【選択図】      図１
2006253830.tif 000002
【特許請求の範囲】
【請求項１】
画像読取用のパラメータに応じて原稿の画像を読み取って画像データを生成する画像読取装置において、
生成された画像データを記憶する複数の画像記憶手段と、
該画像記憶手段に関連付けて前記パラメータを記憶するパラメータ記憶手段と、
画像データを記憶すべき画像記憶手段の指定を受け付ける指定受付手段と、
該指定受付手段が前記画像記憶手段の指定を受け付けた場合、指定された画像記憶手段に関連付けて前記パラメータ記憶手段に記憶されているパラメータを、原稿の画像を読み取るときに用いるパラメータとして決定する決定手段と
を備えることを特徴とする画像読取装置。
【請求項２】
前記パラメータ記憶手段に記憶してあるパラメータを表示する表示手段
を備えることを特徴とする請求項１に記載の画像読取装置。
【請求項３】
前記パラメータ記憶手段に記憶すべく、前記画像記憶手段に関連付けて画像読取用のパラメータを受け付けるパラメータ受付手段
を備えることを特徴とする請求項１又は２に記載の画像読取装置。
【発明の詳細な説明】
【技術分野】
【０００１】
本発明は、原稿の画像を読み取って画像データを生成する画像読取装置に関する。
【背景技術】
【０００２】
ネットワークスキャナは、例えば画像メモリの記憶領域を複数に分割してなる複数のスキャンボックスを備え、読取解像度、画像サイズ等の画像読取用のパラメータ（以下、スキャンパラメータという）に応じて原稿の画像を読み取って生成した画像データを、ユーザが指定した何れか一つのスキャンボックスに記憶させる。スキャンボックスに記憶された画像データは、例えばネットワークスキャナに接続してあるパーソナルコンピュータがダウンロードする（特許文献１参照）。
【０００３】
特許文献１に開示されているような従来のネットワークスキャナには、デフォルトのスキャンパラメータとして、複数のスキャンパラメータの組み合わせが１組だけ設定されていた。このため、他の組み合わせのスキャンパラメータは、画像を読み取る際にユーザがネットワークスキャナに入力する必要があり、ユーザにとって不便であるという問題があった。
【０００４】
この問題を解決するために、スキャンパラメータをユーザに関連付けて記憶しておき、ユーザが指定された場合に、指定されたユーザに関連付けられたスキャンパラメータに応じて原稿の画像を読み取るネットワークスキャナが提案されている（特許文献２参照）。
【特許文献１】特開２００３−４６７０５号公報
【特許文献２】特開２００１−２８５５６０号公報
【発明の開示】
【発明が解決しようとする課題】
【０００５】
しかしながら、特許文献２のネットワークスキャナは、画像データを記憶すべきスキャンボックスの指定と、ユーザの指定とを別個に行なう必要があり、ユーザの使い勝手が悪かった。また、同一の組み合わせのスキャンパラメータをユーザ間で共有することは考えられておらず、このため、異なるユーザに関連付けて同一の組み合わせのスキャンパラメータが記憶される場合、記憶容量の無駄になるという問題があった。
【０００６】
ところで、特許文献１に開示されているネットワークスキャナは、スキャンボックスに記憶された画像データの保存期間をスキャンボックス毎に設定し、保存期間が経過した場合に、スキャンボックスに記憶された画像データを消去するように構成してある。
【０００７】
本発明は、このようなネットワークスキャナの存在に着目してなされたものであり、デフォルトのスキャンパラメータをスキャンボックス毎に設定する構成とすることにより、スキャンボックスを指定した場合にスキャンパラメータも自動的に指定することができる画像読取装置を提供することを目的とする。
【０００８】
本発明の他の目的は、スキャンボックス毎に設定されたデフォルトのスキャンパラメータを表示する構成とすることにより、所望のスキャンパラメータが設定されているスキャンボックスをユーザが容易に指定することができる画像読取装置を提供することにある。
【０００９】
本発明の更に他の目的は、スキャンパラメータのスキャンボックス毎の設定を受け付ける構成とすることにより、スキャンボックス毎に、ユーザが所望のスキャンパラメータを設定することができる画像読取装置を提供することにある。
【課題を解決するための手段】
【００１０】
第１発明に係る画像読取装置は、画像読取用のパラメータに応じて原稿の画像を読み取って画像データを生成する画像読取装置において、生成された画像データを記憶する複数の画像記憶手段と、該画像記憶手段に関連付けて前記パラメータを記憶するパラメータ記憶手段と、画像データを記憶すべき画像記憶手段の指定を受け付ける指定受付手段と、該指定受付手段が前記画像記憶手段の指定を受け付けた場合、指定された画像記憶手段に関連付けて前記パラメータ記憶手段に記憶されているパラメータを、原稿の画像を読み取るときに用いるパラメータとして決定する決定手段とを備えることを特徴とする。
【００１１】
第２発明に係る画像読取装置は、前記パラメータ記憶手段に記憶してあるパラメータを表示する表示手段を備えることを特徴とする。
【００１２】
第３発明に係る画像読取装置は、前記パラメータ記憶手段に記憶すべく、前記画像記憶手段に関連付けて画像読取用のパラメータを受け付けるパラメータ受付手段を備えることを特徴とする。
【００１３】
第１発明にあっては、複数の画像記憶手段夫々がスキャンボックスとして用いられる。指定受付手段が、画像データを記憶すべき画像記憶手段の指定を受け付けた場合、指定された画像記憶手段に関連付けてパラメータ記憶手段に記憶されているパラメータを、画像読取用のパラメータとして決定手段が決定する。そして、決定された画像読取用のパラメータに応じて画像データが生成され、生成された画像データが、指定された画像記憶手段に記憶される。
【００１４】
第２発明にあっては、例えば画像記憶手段の識別情報と、この識別情報を指定した場合に同時的に指定される画像読取用のパラメータ、即ちこの識別情報に対応する画像記憶手段に関連付けてパラメータ記憶手段に記憶されている画像読取用のパラメータとを表示手段が表示する。
【００１５】
第３発明にあっては、例えば画像記憶手段の識別情報と画像読取用のパラメータとをパラメータ受付手段が受け付け、受け付けた識別情報に対応する画像記憶手段に関連付けて、受け付けた画像読取用のパラメータをパラメータ記憶手段が記憶する。
【発明の効果】
【００１６】
第１発明の画像読取装置によれば、指定された画像記憶手段に関連付けてパラメータ記憶手段に記憶されている画像読取用のパラメータに応じて、原稿の画像を読み取って画像データを生成する。このため、ユーザは画像読取用のパラメータを直接的に指定する必要がなく、画像データを記憶すべき画像記憶手段を指定することによって、所望の画像読取用のパラメータに応じて生成された画像データを、指定した画像記憶手段に記憶させることができる。この結果、ユーザの利便性を向上させることができる。
【００１７】
また、画像読取用のパラメータが、ユーザではなく画像記憶手段に関連付けられているため、同一の画像記憶手段をユーザ間で共有する場合は、同一の画像読取用のパラメータをユーザ間で共有することができ、画像読取用のパラメータを記憶する記憶容量の無駄を低減させることができる。
【００１８】
第２発明の画像読取装置によれば、画像記憶手段に関連付けられたデフォルトの画像読取用のパラメータが表示されるため、ユーザが、所望の画像読取用のパラメータに関連付けられた画像記憶手段を容易に指定することができる。この結果、ユーザの利便性を更に向上させることができる。
【００１９】
第３発明の画像読取装置によれば、画像記憶手段毎に、画像記憶手段に関連付けるべき画像読取用のパラメータを受け付けるため、各画像記憶手段に関連付けて、ユーザが所望の画像読取用のパラメータを、デフォルトの画像読取用のパラメータとして設定することができる。この結果、ユーザの利便性を更に向上させることができる。
【発明を実施するための最良の形態】
【００２０】
以下、本発明を、その実施の形態を示す図面に基づいて詳述する。
【００２１】
図１は、本発明に係る画像読取装置としてのＭＦＰ（Multi Functional Peripheral ：デジタル複合機）１の構成を示すブロック図である。ＭＦＰ１は、スキャナ機能、コピー機能、プリンタ機能、ファクシミリ機能及びインターネットファクシミリ機能を有する。以下では、ＭＦＰ１のスキャナ機能について主に説明する。
【００２２】
ＭＦＰ１は、Ｉ／Ｆ（インタフェース）１６を介してＬＡＮ４に接続され、また、ＮＣＵ（ネットワーク・コントロール・ユニット）１７を介して電話回線Ｐに接続されており、更に、ＬＡＮ４を介して、パーソナルコンピュータを用いてなる画像処理装置３，３，…に接続されている。ＭＦＰ１は固有のメールアドレスを有し、所定のプロトコル（例えばＳＭＴＰ）に従ってインターネットファクシミリ用の電子メールを送受信するよう構成されている。
【００２３】
ＭＦＰ１は、ＣＰＵ１０、ＲＯＭ１１、ＲＡＭ１２及びＥＥＰＲＯＭ１３を備え、ＣＰＵ１０は、ＲＡＭ１２を作業領域として用い、ＲＯＭ１１に記憶された制御プログラム及びデータとＥＥＰＲＯＭ１３に記憶されたデータとに従って装置各部を制御し、各種処理を実行する。ＥＥＰＲＯＭ１３の記憶領域の一部は、デフォルトのスキャンパラメータを記憶するパラメータ記憶部１３１（後述）である。
【００２４】
ＭＦＰ１の表示部１４は、液晶パネルを用いてなり、例えばＭＦＰ１の動作状態、ユーザに対する入力指示等を表示し、操作部１５は、表示部１４を見ながらユーザがＭＦＰ１を操作するためのスタートキー１５１、テンキー１５２、表示部１４に表示されるカーソルを移動させるための矢印キー１５３、ＯＫキー１５４を含む各種ファンクションキーを備える。なお、操作部１５の各キーを、表示部１４に重ねて配置されたタッチパネル上に設けてもよい。
【００２５】
また、ＭＦＰ１の読取部１９は、スキャンパラメータに応じて、ＭＦＰ１にセットされた原稿を読み取って多値のカラー画像データ又は２値のモノクロ画像データを生成する。更にＭＦＰ１は、ＤＲＡＭを用いてなる画像メモリ２２を備える。
【００２６】
画像メモリ２２には、画像メモリ２２の記憶領域を複数に分割してなる複数のスキャンボックス２２１，２２１，…が設けてある。各スキャンボックス２２１には固有の識別番号（以下、スキャンボックス番号）が付与されており、読取部１９による１回の読み取りによって生成されたカラー画像データ又はモノクロ画像データは、操作部１５を用いてユーザが指定したスキャンボックス番号に対応するスキャンボックス２２１に記憶される。
【００２７】
なお、各スキャンボックス２２１の記憶容量は夫々一定でもよく、例えば各スキャンボックス２２１に記憶されるカラー画像データ又はモノクロ画像データのデータ量に応じて適宜増減されてもよい。また、複数の画像メモリを用いてスキャンボックス２２１，２２１，…を構成してもよく、画像メモリの代わりに例えばハードディスクを用いてもよい。更に、例えばＭＦＰ１に直結された外部記憶装置、又はＬＡＮ４に接続されたファイルサーバを用いてスキャンボックス２２１，２２１，…を構成してもよい。
【００２８】
更に、ＭＦＰ１は、所定の符号化方式でモノクロ画像データの符号化とファクシミリ通信用の画像データの復号とを行なうＣＯＤＥＣ（符号化・復号器）２１、電話回線Ｐの回線制御を行なうＮＣＵ１７、及び、電話回線Ｐを介して、図示しないファクシミリ装置との間でファクシミリ通信用の画像データを送受信するモデム１８を備える。更にまた、ＭＦＰ１は、画像データ又は電子メールの本文であるテキストデータを入力して、所定の符号化方式（例えばＭＩＭＥのbase64）で画像データとテキストデータとを相互に変換させる電子メール変換部２４を備える。ＭＦＰ１の記録部２３は、電子写真方式のプリンタ装置及びプリンタ装置へ用紙を供給する給紙装置で構成されており、画像メモリ２２に記憶された画像データに基づいて記録用紙に画像を形成する。
【００２９】
画像処理装置３は、ＬＡＮ４を介して、スキャンボックス番号及び画像データ転送要求をＭＦＰ１へ送信する。ＣＰＵ１０は、Ｉ／Ｆ１６を介してスキャンボックス番号及び画像データ転送要求を受け付けた場合、受け付けたスキャンボックス番号に対応するスキャンボックス２２１から画像データを読み出して、読み出した画像データを、画像データ転送要求を送信してきた画像処理装置３へ送信する。
【００３０】
本発明に係るＭＦＰ１の特徴は、スキャンボックス２２１毎に、デフォルトのスキャンパラメータが設定されていることにある。
【００３１】
図２は、パラメータ記憶部１３１に記憶してあるデータの一例を示す模式図である。パラメータ記憶部１３１には、スキャンボックス番号に関連付けて、複数のスキャンパラメータの組み合わせが記憶されている。本実施の形態においては、複数のスキャンパラメータとして、読取解像度（単位はｄｐｉ）及びスキャンボックス２２１に記憶すべき画像データの種類（カラー画像データかモノクロ画像データか）を例示するが、これに限るものではなく、例えば、Ａ４サイズ、Ｂ５サイズ等の画像サイズ、ＢＭＰ形式、ＪＰＥＧ形式等の画像フォーマットをスキャンパラメータとして用いてもよい。
【００３２】
図２に示すようなパラメータ記憶部１３１には、例えばスキャンボックス番号０１に関連付けて、読取解像度が２００ｄｐｉであること、及びスキャンボックス２２１に記憶すべき画像データの種類がモノクロ画像データであることを示すパラメータが記憶されている。
【００３３】
図３は、表示部１４に表示される画面の一例を示す模式図である。表示部１４には、パラメータ記憶部１３１に記憶してある複数のスキャンパラメータの組み合わせの内容、即ちスキャンパラメータ２２１毎のスキャンパラメータの設定状況が、スキャンボックス番号に関連付けて表示される。
【００３４】
図３に示すような表示部１４を視認することによって、ユーザは、例えばスキャンボックス番号０２を指定した場合に、デフォルトのスキャンパラメータとして、読取解像度６００ｄｐｉ、及びスキャンボックス２２１にカラー画像データを記憶するパラメータが設定されることを認識する。
【００３５】
図４は、ＣＰＵ１０が実行するパラメータ受付処理の手順を示すフローチャートである。パラメータ受付処理は、例えば操作部１５が備える所定のファンクションキーが操作された場合に実行される。
【００３６】
ＣＰＵ１０はスキャンボックス番号を受け付けたか否かを判定する（Ｓ１１）。この場合、ユーザは操作部１５のテンキー１５２を用いてスキャンボックス番号をＭＦＰ１に入力し、ＯＫキー１５４を操作する。ＣＰＵ１０は、テンキー１５２を介して数値が入力されてからＯＫキー１５４が操作された場合に、スキャンボックス番号を受け付けたと判定する。
【００３７】
スキャンボックス番号を受け付けた場合（Ｓ１１でＹＥＳ）、ＣＰＵ１０は、読取解像度を受け付ける（Ｓ１２）。この場合、ユーザは操作部１５のテンキー１５２を用いて読取解像度をＭＦＰ１に入力し、ＯＫキー１５４を操作する。ＣＰＵ１０は、テンキー１５２を介して数値が入力されてからＯＫキー１５４が操作された場合に、読取解像度を受け付ける。
【００３８】
また、ＣＰＵ１０は、スキャンボックス２２１に記憶すべき画像データの種類がカラー画像データであるかモノクロ画像データであるかの選択を受け付ける（Ｓ１３）。この場合、例えば「カラー」及び「モノクロ」という文字が選択肢として表示部１４に表示され、ユーザは操作部１５の矢印キー１５３を用いて２個の選択肢の一方にカーソルを合わせ、次いでＯＫキー１５４を操作する。ＣＰＵ１０は、ＯＫキー１５４が操作された場合に、表示部１４においてカーソルが合わせられている選択肢を受け付ける、即ちスキャンボックス２２１に記憶すべき画像データの種類がカラー画像データであるかモノクロ画像データであるかの選択を受け付ける。
【００３９】
最後に、ＣＰＵ１０は、Ｓ１１で受け付けたスキャンボックス番号に関連付けて、Ｓ１２及びＳ１３で受け付けた読取解像度及びスキャンボックス２２１に記憶すべき画像データの種類をスキャンパラメータとしてパラメータ記憶部１３１に記憶させる（Ｓ１４）。
【００４０】
スキャンボックス番号を受け付けていない場合（Ｓ１１でＮＯ）、未だユーザがスキャンボックス番号を入力していないため、ＣＰＵ１０はＳ１２以降の処理を行なわずに待機する。
【００４１】
Ｓ１４の処理完了後、ＣＰＵ１０はパラメータ受付処理を終了する。なお、Ｓ１１において、ユーザがスキャンボックス番号の数値を入力する代わりに、スキャンボックス番号の選択肢を選択する構成でもよく、Ｓ１２において、読取解像度の数値を入力する代わりに読取解像度の選択肢を選択する構成でもよい。
【００４２】
このように、パラメータ記憶部１３１が記憶するスキャンパラメータはユーザが操作部１５を用いて画像読取装置１に入力するが、ユーザによるスキャンパラメータの入力前、例えば工場出荷時には、各スキャンボックス２２１に対して、互いに異なる組み合わせ又は同一の組み合わせのスキャンパラメータがデフォルトのスキャンパラメータとして設定される。
【００４３】
図５は、ＣＰＵ１０が実行する画像読取処理の手順を示すフローチャートである。画像読取処理は、例えば操作部１５が備える所定のファンクションキーが操作された場合、又はＭＦＰ１に原稿がセットされたことを図示しない検出部が検出した場合に実行される。
【００４４】
ＣＰＵ１０は、パラメータ記憶部１３１に記憶してある図２に示すようなデータを読み出して、図３に示すような画面を表示部１４に表示させることによって、スキャンボックス番号に関連付けてスキャンパラメータを表示部１４に表示させる（Ｓ２１）。ユーザは表示部１４を視認して、所望のスキャンパラメータの組み合わせに関連付けられたスキャンボックス番号を探し出す。
【００４５】
ＣＰＵ１０はスキャンボックス番号を受け付けたか否かを判定する（Ｓ２２）。この場合、ユーザは操作部１５のテンキー１５２を用いてスキャンボックス番号をＭＦＰ１に入力し、ＯＫキー１５４を操作する。ＣＰＵ１０は、テンキー１５２を介して数値（スキャンボックス番号）が入力されてからＯＫキー１５４が操作された場合に、スキャンボックス番号を受け付けたと判定する。
【００４６】
スキャンボックス番号を受け付けた場合（Ｓ２２でＹＥＳ）、ＣＰＵ１０は、画像読取を開始するスタート命令を受け付けたか否かを判定する（Ｓ２３）。ユーザはＭＦＰ１に原稿をセットした後で、操作部１５のスタートキー１５１を操作する。ＣＰＵ１０は、スタートキー１５１が操作された場合に、スタート命令を受け付けたと判定する。
【００４７】
スタート命令を受け付けた場合（Ｓ２３でＹＥＳ）、ＣＰＵ１０はパラメータ記憶部１３１を参照して、Ｓ２２で受け付けたスキャンボックス番号に関連付けて記憶してあるスキャンパラメータを読み出し（Ｓ２４）、読み出したスキャンパラメータに基づいて、スキャンボックス２２１に記憶すべき画像データの種類がカラー画像データであるのかモノクロ画像データであるのかを判定する（Ｓ２５）。
【００４８】
Ｓ２４で読み出したスキャンパラメータに、スキャンボックス２２１に記憶すべき画像データがカラー画像データであることを示すパラメータが含まれている場合、ＣＰＵ１０は、記憶すべき画像データの種類がカラー画像データであると判定し（Ｓ２５でカラー）、読取部１９を制御して、スキャンパラメータに応じて原稿を読み取ってカラー画像データを生成させる（Ｓ２６）。更にＣＰＵ１０は、Ｓ２６の処理実行によって生成されたカラー画像データを、Ｓ２２で受け付けたスキャンボックス番号に対応するスキャンボックス２２１に記憶させる（Ｓ２７）。
【００４９】
Ｓ２４で読み出したスキャンパラメータに、スキャンボックス２２１に記憶すべき画像データがモノクロ画像データであることを示すパラメータが含まれている場合、ＣＰＵ１０は、記憶すべき画像データの種類がモノクロ画像データであると判定し（Ｓ２５でモノクロ）、読取部１９を制御して、スキャンパラメータに応じて原稿を読み取ってモノクロ画像データを生成させる（Ｓ２８）。更にＣＰＵ１０は、処理をＳ２７へ移して、Ｓ２８の処理実行によって生成されたモノクロ画像データを、Ｓ２２で受け付けたスキャンボックス番号に対応するスキャンボックス２２１に記憶させる。
【００５０】
スキャンボックス番号を受け付けていない場合（Ｓ２２でＮＯ）、未だユーザがスキャンボックス番号を入力していないため、ＣＰＵ１０はＳ２３以降の処理を行なわずに待機する。また、スタート命令を受け付けていない場合（Ｓ２３でＮＯ）、未だユーザがスタートキー１５１を操作していないため、ＣＰＵ１０はＳ２４以降の処理を行なわずに待機する。
【００５１】
Ｓ２７の処理完了後、ＣＰＵ１０は画像読取処理を終了する。なお、Ｓ２２においてテンキー１５２を介して数値が入力されてからＯＫキー１５４ではなくスタートキー１５１が操作された場合に、スキャンボックス番号及びスタート命令を受け付けたと判定してもよい。
【００５２】
以上のようなパラメータ受付処理及び画像読取処理において、スキャンボックス２２１，２２１，…は、生成された画像データを記憶する複数の画像記憶手段として機能し、パラメータ記憶部１３１は、画像記憶手段に関連付けて画像読取用のパラメータであるスキャンパラメータを記憶するパラメータ記憶手段として機能する。また、Ｓ２２におけるＣＰＵ１０及び操作部１５は、画像データを記憶すべき画像記憶手段の指定を受け付ける指定受付手段として機能し、Ｓ２４におけるＣＰＵ１０は、指定受付手段が画像記憶手段の指定を受け付けた場合（Ｓ２２でＹＥＳの場合）、指定された画像記憶手段に関連付けてパラメータ記憶手段に記憶されているスキャンパラメータを、原稿の画像を読み取るときに用いるスキャンパラメータとして決定する決定手段として機能する。
【００５３】
更に、Ｓ２１におけるＣＰＵ１０及び表示部１４は、パラメータ記憶手段に記憶してあるスキャンパラメータを表示する表示手段として機能し、Ｓ１１〜Ｓ１４におけるＣＰＵ１０及び操作部１５は、パラメータ記憶手段に記憶すべく、画像記憶手段に関連付けてスキャンパラメータを受け付けるパラメータ受付手段として機能する。
【００５４】
以上のようなＭＦＰ１は、操作部１５を用いてユーザが指定したスキャンボックス番号に対応するスキャンボックス２２１に関連付けて記憶されているスキャンパラメータをパラメータ記憶部１３１から読み出し、読み出したスキャンパラメータに応じて、読取部１９が原稿の画像を読み取って画像データを生成する。このため、ユーザは所望のスキャンパラメータを直接的に指定する必要がなく、スキャンボックス２２１のスキャンボックス番号を指定することによって、所望のスキャンパラメータに応じて生成された画像データを、指定したスキャンボックス２２１に記憶させることができる。即ち、本発明のＭＦＰ１は、デフォルトのスキャンパラメータがスキャンボックス毎に設定されているため、画像データの格納先であるスキャンボックスの指定と同時的にスキャンパラメータも指定することができる。
【００５５】
また、スキャンパラメータが、ユーザではなくスキャンボックス２２１に関連付けられているため、同一のスキャンボックス２２１をユーザ間で共有する場合は、同一のスキャンパラメータをユーザ間で共有することができ、スキャンパラメータを記憶する記憶容量の無駄を低減させることができる。
【００５６】
更に、各スキャンボックス２２１に関連付けられたデフォルトのスキャンパラメータが表示部１４に表示されるため、ユーザが、所望のスキャンパラメータに関連付けられたスキャンボックス２２１のスキャンボックス番号を容易に指定することができる。
【００５７】
更にまた、スキャンボックス２２１毎に、スキャンボックス２２１のスキャンボックス番号と、このスキャンボックス２２１に関連付けるべき複数のスキャンパラメータとを受け付けるため、各スキャンボックス２２１に関連付けて、ユーザが所望のスキャンパラメータを、デフォルトのスキャンパラメータとして設定することができる。
【００５８】
以上のことから、ＭＦＰ１はユーザの利便性を向上させることができる。
【００５９】
なお、ＭＦＰ１は、ユーザが所望するスキャンパラメータの組み合わせがデフォルトで存在しない場合、ユーザが操作部１５を用いてスキャンパラメータを入力可能な構成であることが望ましい。また、スキャンボックス番号、スキャンパラメータ、スタート命令等を、ユーザが画像処理装置３を用いて入力可能な構成でもよい。この場合、ＭＦＰ１は、画像処理装置３から入力されたスキャンボックス番号、スキャンパラメータ、スタート命令等を、ＬＡＮ４を介して受け付ける。
【図面の簡単な説明】
【００６０】
【図１】本発明に係る画像読取装置としてのＭＦＰの構成を示すブロック図である。
【図２】本発明に係るＭＦＰが備えるパラメータ記憶部に記憶してあるデータの一例を示す模式図である。
【図３】本発明に係るＭＦＰが備える表示部に表示される画面の一例を示す模式図である。
【図４】本発明に係るＭＦＰのパラメータ受付処理の手順を示すフローチャートである。
【図５】本発明に係るＭＦＰの画像読取処理の手順を示すフローチャートである。
【符号の説明】
【００６１】
１      ＭＦＰ（画像読取装置）
１３１  パラメータ記憶部（パラメータ記憶手段）
１４    表示部（表示手段）
１５    操作部（指定受付手段，パラメータ受付手段）
２２１  スキャンボックス（画像記憶手段）
【図１】
2006253830.tif 000003
【図２】
2006253830.tif 000004
【図３】
2006253830.tif 000005
【図４】
2006253830.tif 000006
【図５】
2006253830.tif 000007